(57)【特許請求の範囲】
【請求項１】
クッションシート３が、クッションカバー７により底面および各側面が被覆された所望形状の凹陥部６が形成されたクッションパッド５を備え、該凹陥部６の開口上部を取外し可能な座ふとんシート４で覆蓋せしめたことを特徴とする車両用シート。
【請求項２】
前記クッションカバー７は、前記凹陥部６内に対応する部位が防水性であることを特徴する前記請求項１記載の車両用シート。
【請求項３】
前記凹陥部６内にはパット部材９が取出し自在に装設され、前記凹陥部６と同一形状に形成されていることを特徴する前記請求項１または２記載の車両用シート。
【発明の詳細な説明】
【０００１】
【産業上の利用分野】
本発明は自動車等の車両用シートに係り、詳しくは、排尿，排便用の簡易トイレ機能を装備した車両用シートに関するものである。
【０００２】
【従来の技術】
一般に、この種の乗用車等の自動車にあって、その車中において運転車若しくは同乗者が排尿，排便用に供するための簡易トイレ機能が装備された車両用シートは皆無であった。
【０００３】
【発明が解決しようとする課題】
しかしながら、自動車等の走行にあたって、運転車若しくは同乗者が該自動車の車中にてトイレに行きたくなり、走行中に近くにトイレがなくどうしても車中で排尿，排便等の用を足さなければならなくなった場合には、その事態に対処することができず、簡易トイレの必要性が要望されており、身体障害者、高齢者、幼児等が乗車して渋滞に遭遇した場合は、その必要性が強く希求されていた。
そこで、本発明は、車中において運転車若しくは同乗者が排尿，排便等の用に供する簡易トイレ機能を車両用シートに装備することによって、上記した要求を可及的に満足する車両用シートを提供することを目的としたものである。
【０００４】
【課題を解決するための手段】
上記した目的を達成するために、本発明は、クッションシート３が、クッションカバー７により底面および各側面が被覆された所望形状の凹陥部６が形成されたクッションパッド５を備え、該凹陥部６の開口上部を取外し可能な座ふとんシート４で覆蓋せしめたことを要旨とするものである。
そして、前記クッションカバー７は、前記凹陥部６内に対応する部位が防水性であることが好ましい。
さらに、前記凹陥部６内にはパット部材９が取出し自在に装設され、前記凹陥部６と同一形状に形成されていることことが好ましい。
【０００５】
【作用】
上記した構成によれば、車両用シート１のクッションシート３に運転車若しくは同乗者が着座したままの姿勢で座ふとんシート４が除かれた凹陥部６の開口上部から排尿，排便等の用を足すことができ、それに伴う汚水，汚物等を該凹陥部６に収納することができるものである。
そして、座ふとんシート４を開放した使用状態において、クッションカバー７によってクッションパッド５が露呈しないため、該クッションパッド５の防水・防汚性を向上することができるものである。
さらに、前記クッションカバー７は、前記凹陥部６内に対応する部位が防水性とすることにより、座ふとんシート４を開放した使用状態において、該クッションカバー７を含めたクッションシート３全体の防水・防汚性を向上することができるものである。
また、前記凹陥部６内にはパット部材９が取出し自在に装設され、前記凹陥部６と同一形状に形成することにより、クッションパッド５の面をフラットな面として保持して車両用シート１のクッションシート３に対する運転車若しくは同乗者の着座姿勢に違和感を与えることなく安定に保持することができるものである。
【０００６】
【実施例】
以下、本発明の実施例を図にしたがって詳述する。
図において、１は車両用シートの全体を示し、バックシート２とクッションシート３と、該クッションシート３上には後述する凹陥部の開口上部を覆蓋する座ふとんシート４とから構成されている。
【０００７】
クッションシート３は、図２に示すように、クッションシート本体を形成するクッションパッド５には所定の部位（着座時にほぼ尻部が位置される部位）に所望形状（図では方形の場合を示す）の凹陥部６が所望の深さ形成され、このクッションパット５の全表面及び前記凹陥部６の底面、各側面はクッションカバー７により被覆されている。なお、クッションカバー７で被覆された凹陥部６の部位についても凹陥部として図中同一符号を付す。
そして、クッションカバー７における前記凹陥部６に対応した部位には前記座ふとんシート４が位置され、このクッションカバー７と座ふとんシート４とは該座ふとんシート４の四周縁部とクッションカバー７とはファスナー８（８ａ，８ｂ）により取外し自在に結合されるように構成されている。しかして、座ふとんシート４は通常時は前記凹陥部６の開口上部を覆蓋してクッションカバー７と一体化さるとともに、使用状態にあってはクッションカバー７から取外されて凹陥部６開口上部を開放するものである。
【０００８】
また、前記凹陥部６内には同一形状に形成されたウレタン樹脂等からなるパット部材９が取出し自在に収納されていて、このパット部材９は、通常時は該凹陥部６内に収納されてクッションパッド５の面をフラットな面として保持して車両用シート１のクッションシート３に対する運転車若しくは同乗者がその着座姿勢に違和感を与えることがないようにするものであり、使用状態にあっては凹陥部６内から取出されてその使用に対応するものである。
【０００９】
次に、クッションパッド５に対するクッションカバー７の取付け並びにクッションカバー７に対する座ふとんシート４の取付け状態について図３、図４を参照して説明すると、クッションカバー７はその外観部（表面部）が既存の第１の表皮１０と、前記凹陥部６に対応する部位、すなわち凹陥部６の底部及び各側面さらにはその周縁部に位置する部位を汚水，汚物等のしみ込みを防止するために例えば塩化ビニル樹脂からなる防水性の第２の表皮１１とから構成されていて、クッションパッド５に対し所定の部位を綿布１２によりボグリング等の手段によりそれぞれ止着されている。
【００１０】
そして、クッションパッド５における凹陥部６の前側縁部及び両側縁部には切り溝１３〜１３が形成され、この切り溝１３〜１３内に前記第１の表皮１０と第２の表皮１１との結合部位及びクッションカバー７側に取付けられる前記ファスナー８ｂが綿布１２とともに前述と同様に縫い込まれ、また、第２の表皮１１の後側縁部とクッションカバー７の後かまち１４の上端とクッションカバー７側に取付けられる前記ファスナー８ｂとがともにクッションパッド５に対し前述と同様に縫い込まれている。
【００１１】
しかして、クッションカバー７は切り溝１３〜１３に引き込まれた状態で、止着、縫い込まれるもので、クッションパッド５の表面形状に的確に馴染んで被覆され、その意匠性の向上を図るものである。
また、凹陥部６の前側縁部及び両側縁部におけるファスナー８ａ，８ｂがクッションカバー７の表面に露出することなく、その見栄えの向上、着座時の異物感をなくするものであり、乗降時にすり切れにより結合（閉じた）したファスナー８ａ，８ｂの部分的な外れ現象を未然に防止するものである。
【００１２】
また、前記凹陥部６の底部及び各側面を被覆したクッションカバー７における第２の表皮１１の表面には所定の部位に前記パッド部材９を取出し自在に止着するベルクロファスナー１５〜１５が取付けられている。
【００１３】
なお、座ふとんシート４は前記クッションカバー７と同一材質から形成するのが望ましく、その四周縁部裏面にはクッションカバー７側に取付けられるファスナー８ｂと結合されるファスナー８ａが縫着されている。
【００１４】
本実施例は上述のように構成したものであり、本例の車両用シート１において簡易トイレとして使用する場合について説明する。
まず、座ふとんシート４とクッションカバー７との間のファスナー８を外して該座ふとんシート４をクッションカバー７から取外すとともに、さらに凹陥部６内からパット部材９を取り出して該凹陥部６の開口上部を開放したのち、図５，図６に示すようにクッションシート３に着座したままの状態で凹陥部６に対して排尿，排便等の用を足すことができる。
この場合、図５，図６に示すように、凹陥部６内にその周縁部に亘りビニールシート等の防水性シート１６を敷設して、その上におむつ等の吸水性部材１７を置いて前述の使用に供すれば、排尿，排便等に伴う汚水，汚物等の事後処置が簡便になし得るとともに、クッションカバー７の汚損を未然に防止できるものである。
なお、前記座ふとんシート４とクッションカバー７との間にあって、後側縁側のファスナー８のみを結合した状態でその座ふとんシート４を該ファスナー８を支点としてバックシート２側に傾動して凹陥部６の開口上部を開放するようにしてもよい。
【００１５】
そして、通常状態にあっては、凹陥部６内にパット部材９を収納されてクッションパッド５の面をフラットな面として維持するとともに、前述とは逆に座ふとんシート４をクッションカバー７に対してファスナー８を閉めることにより止着するものであり、車両用シート１のクッションシート３に対する運転車若しくは同乗者がその着座姿勢に違和感を与えることがない。
【００１６】
次に、本発明の別例について図７，図８を参照して説明すると、本実施例は前述した実施例の凹陥部６内に収納容器１８を組付けた場合を示し、具体的には該収納容器１８は上部を開放した例えば、合成樹脂製等からなり凹陥部６の形状と合致した形状（図では方形）に形成された容器本体１９と、例えば、合成樹脂製等からなり容器本体１９の開放した上部を覆蓋する蓋部２０とから構成され、その蓋部２０には起倒自在な取っ手２１が設けられ、この取っ手２１は傾倒状態では該蓋部２０の表面に形成した凹所に蓋部２０と同一面に納められるように形成されており、その余の構成は前述した実施例と同様であるので、同一部材については図中同符号を付してその説明を省略する。
【００１７】
したがって、本実施例にあっては、車両用シート１において簡易トイレとして使用する場合、前例のようにして、クッションシート３に着座したままの状態で凹陥部６内の収納容器１８内に対して排尿，排便等の用を足すことができるとともに、そのまま収納容器１８自体を持ち運びして排尿，排便等に伴う汚水，汚物等の事後処置をきわめて簡便になし得、洗浄作業をきわめて簡易にして清潔度を保つことができる。
この場合、前述と同様に収納容器１８内におむつ等の吸水性部材１７を置いて前述の使用に供すれば、汚水，汚物等の事後処置をさらに簡便になし得るとともに、クッションカバー７の汚損を未然に防止できるものであり、その余の作用効果は前述の実施例の作用効果を享受するものである。
【００１８】
そして、本実施例にあっては、収納容器１８を予め凹陥部６内に装着しておいてもよく、また、使用時にのみ凹陥部６内に装着するようにしてもよい。この場合は、前述した実施例と同様にパット部材９が凹陥部６内に収納されるものである。
【００１９】
なお、上記した実施例において、クッションカバー７に対する座ふとんシート４の結合手段をファスナー８により構成したが、これに限定するものではなく、例えばベルクロファスナー、フック等の他の手段でもよい。
【００２０】
また、上記した実施例において、凹陥部６内の一部等に脱臭剤若しくは芳香剤等組み込むように構成してもよく、この場合は異臭を除去することができるとともに、車内の雰囲気を何ら損ねることがない。
【００２１】
【発明の効果】
本発明は、車両用シート１のクッションシート３に運転車若しくは同乗者が着座したままの姿勢で座ふとんシート４が除かれた凹陥部６の開口上部から排尿，排便等の用を足すことができ、それに伴う汚水，汚物等を該凹陥部６に収納することができるとともに、座ふとんシート４を開放した使用状態において、クッションカバー７によってクッションパッド５が露呈しないため、該クッションパッド５の防水・防汚性を向上することができる。
さらに、前記クッションカバー７は、前記凹陥部６内に対応する部位が防水性とすることにより、座ふとんシート４を開放した使用状態において、該クッションカバー７を含めたクッションシート３全体の防水・防汚性を向上することができる。
また、前記凹陥部６内にはパット部材９が取出し自在に装設され、前記凹陥部６と同一形状に形成することにより、クッションパッド５の面をフラットな面として保持して車両用シート１のクッションシート３に対する運転車若しくは同乗者の着座姿勢に違和感を与えることなく安定に保持することができる。
【図面の簡単な説明】
【図１】本発明の一実施例を示す斜視図である。
【図２】同じく、要部の分解斜視図である。
【図３】同じく、要部の縦断面説明図である。
【図４】同じく、要部の横断面説明図である。
【図５】同じく、使用状態を示す要部の縦断面説明図である。
【図６】同じく、使用状態を示す要部の横断面説明図である。
【図７】本発明の別実施例を示す要部の分解斜視図である。
【図８】同じく、要部の縦断面説明図である。
【符号の説明】
１  車両用シート
３  クッションシート
４  座ふとんシート
６  凹陥部
８  ファスナー
９  パット部材
１６  収納容器
【図１】
0003584512.tif 000002
【図２】
0003584512.tif 000003
【図３】
0003584512.tif 000004
【図４】
0003584512.tif 000005
【図５】
0003584512.tif 000006
【図６】
0003584512.tif 000007
【図７】
0003584512.tif 000008
【図８】
0003584512.tif 000009